(57)【要約】【課題】端子部の異常発熱時に主幹ブレーカを遮断して出火を防止するとともに、端子部の異常発熱を早期に発見することができる住宅用分電盤の端子台を提供する。【解決手段】端子台４は、ねじ式の端子部１２，１３の温度を検知する温度センサ１５と、温度センサ１５の検出温度が所定値を超えないか判定して検出温度が所定値を超えた場合に各種制御を行う制御回路１６と、制御回路１６の制御により主電路に擬似漏電電流を流して主幹ブレーカ７の漏電遮断器を作動させる遮断回路１８と、制御回路１６の制御により異常を知らせる報知手段のブザー２４とを備える。【選択図】図４
2009268210.tif 000002
【特許請求の範囲】
【請求項１】
時間帯別電灯契約用回路を備えた住宅用分電盤に設けられ、前記時間帯別電灯契約用回路と主幹ブレーカの一次側に設けられて両方に幹線からの電力を供給するねじ式端子構造の端子台において、端子部の温度を検知する温度センサと、該温度センサの検出温度が所定値を超えないか判定して検出温度が所定値を超えた場合に各種制御を行う制御回路と、該制御回路の制御により前記主幹ブレーカを作動させる遮断回路と、前記制御回路の制御により異常を知らせる報知手段とを備えたことを特徴とする住宅用分電盤の端子台。
【請求項２】
前記主幹ブレーカは漏電遮断器であり、前記遮断回路は前記主幹ブレーカの主電路間に直列接続された抵抗とリレーで成り、前記温度センサの検出温度が所定値を超えたことを前記制御回路が検知した場合に前記遮断回路のリレーをオンして擬似漏電を発生させ、前記主幹ブレーカを作動させることを特徴とする請求項１に記載の住宅用分電盤の端子台。
【請求項３】
前記端子部は階段状に形成された導電バーの下段部と上段部とに設けられ、前記下段部と上段部との間の段差部分の裏側に前記温度センサを設けたことを特徴とする請求項１又は請求項２に記載の住宅用分電盤の端子台。
【発明の詳細な説明】
【技術分野】
【０００１】
本発明は、住宅用分電盤に設けられ、時間帯別電灯契約用回路と主幹用の漏電遮断器に幹線からの電力を供給する端子台に関する。
【背景技術】
【０００２】
一般的に時間帯別電灯契約用回路を備えた住宅用分電盤は、分岐ブレーカ取付スペース横のフリースペースに端子台が設けられ、この端子台に幹線を入線し、端子台から主幹ブレーカへ電線により送り配線するとともに、端子台に隣接して設けられた専用ブレーカへ導電バーにより接続して構成している。端子台は階段状に形成された導電バーの下段部と上段部とにねじ式の端子部が設けられ、幹線及び送り配線される電線は端子部に端子ねじにより締め付け固定されている（例えば、特許文献１、特許文献２参照。）。
【０００３】
【特許文献１】特開２００７−６６２９号公報
【特許文献２】特開２００３−６８３７９号公報
【発明の開示】
【発明が解決しようとする課題】
【０００４】
端子部に接続された幹線及び電線は端子ねじの締め付け不足や緩み、誤った締め付けにより異常発熱を起こし、出火する虞があった。
【課題を解決するための手段】
【０００５】
本発明は、請求項１に記載の発明によれば、時間帯別電灯契約用回路を備えた住宅用分電盤に設けられ、時間帯別電灯契約用回路と主幹ブレーカの一次側に設けられて両方に幹線からの電力を供給するねじ式端子構造の端子台において、端子部の温度を検知する温度センサと、温度センサの検出温度が所定値を超えないか判定して検出温度が所定値を超えた場合に各種制御を行う制御回路と、制御回路の制御により主幹ブレーカを作動させる遮断回路と、制御回路の制御により異常を知らせる報知手段とを備えたことを特徴とする。
【０００６】
請求項２に記載の発明によれば、請求項１に記載の住宅用分電盤の端子台において、主幹ブレーカは漏電遮断器であり、遮断回路は主幹ブレーカの主電路間に直列接続された抵抗とリレーで成り、温度センサの検出温度が所定値を超えたことを制御回路が検知した場合に遮断回路のリレーをオンして擬似漏電を発生させ、主幹ブレーカを作動させることを特徴とする。
【０００７】
請求項３に記載の発明によれば、請求項１又は請求項２に記載の住宅用分電盤の端子台において、端子部は階段状に形成された導電バーの下段部と上段部とに設けられ、下段部と上段部との間の段差部分の裏側に温度センサを設けたことを特徴とする。
【発明の効果】
【０００８】
請求項１に記載の発明によれば、端子部の異常発熱時に主幹ブレーカを遮断して電路を遮断することで出火を防止するとともに、端子部の異常発熱を早期に発見することができるという効果がある。
【０００９】
請求項２に記載の発明によれば、請求項１に記載の発明の効果に加えて、特別な機能を備えた主幹ブレーカを用いることなく一般に主幹ブレーカとして使用される漏電遮断器により電路を遮断することができるという効果がある。
【００１０】
請求項３に記載の発明によれば、請求項１又は請求項２に記載の発明の効果に加えて、一つの温度センサで入線用端子部と送り用端子部の２箇所の端子部の温度を計測することができるという効果がある。
【発明を実施するための最良の形態】
【００１１】
端子台は、ねじ式の端子部の温度を検知する温度センサと、温度センサの検出温度が所定値を超えないか判定して検出温度が所定値を超えた場合に各種制御を行う制御回路と、制御回路の制御により主電路に擬似漏電電流を流して主幹ブレーカの漏電遮断器を作動させる遮断回路と、制御回路の制御により異常を知らせる報知手段のブザーとを備える。
【実施例１】
【００１２】
本発明に係る住宅用分電盤の端子台の実施例１を図１〜図４の添付図面に基づいて説明する。
【００１３】
時間帯別電灯契約用回路を備えた住宅用分電盤１は、複数の分岐ブレーカ２が取り付けられたスペース隣のフリースペース３に端子台４が設けられ、この端子台４には幹線５が入線して電線６により主幹ブレーカ７へ送り配線されるとともに、接続バー８により時間帯別電灯契約用回路のブレーカ９へ接続されて幹線５からの電力が供給されるようになっている。
【００１４】
端子台４は樹脂材料により基台１０が階段状に形成され、左右の電圧（Ｌ１，Ｌ２）極と中央の中性（Ｎ）極の３本の導電バー１１が基台１０の表面に沿って階段状に折曲形成されて基台上に並設されている。導電バー１１の下段部には主幹ブレーカ７へ送り配線するねじ式の送り用端子部１２が設けられ、上段部には幹線５が入線するねじ式の入線用端子部１３が設けられ、入線用端子部１３には時間帯別電灯契約用回路のブレーカ９へ接続するための接続バー８が接続されている。基台１０は各導電バー１１を絶縁するための隔壁１４が基台１０の両端と導電バー１１間に設けられている。
【００１５】
導電バー１１の下段部の送り用端子部１２と上段部の入線用端子部１３との間の段差部分の裏側には基台１０に孔が設けられ、温度センサ１５が基台１０の内側から孔に臨むように設けられている。また、基台１０の内側にはこの温度センサ１５の検出温度が所定値を超えないかどうか判定して検出温度が所定値を超えた場合に各種制御を行う制御回路１６と、制御回路１６が駆動するための電源を供給する電源回路１７と、制御回路１６の制御により主幹ブレーカ７を遮断動作させる遮断回路１８を実装した基板１９が設けられている。遮断回路１８は直列接続された抵抗２０とリレー２１とで成り、遮断回路１８の一端は導電バー１１のＬ２に接続され、他端は端子台４から引き出されたリード線２２により住宅用分電盤１の主幹バー２３のＬ２に接続されて主幹ブレーカ７のＬ２極の主電路間に接続した回路を構成している。また、基台１０の側面には報知手段としてのブザー２４が設けられている。
【００１６】
このように構成された端子台４は、入線用端子部１３に幹線５が端子ねじ１３ａにより締め付け固定される。また、送り用端子部１２には電線６の一端が端子ねじ１２ａにより締め付け固定され、電線６の他端は主幹ブレーカ７の一次側端子に接続される。また、接続バー８には時間帯別電灯契約用回路のブレーカ９の一次側端子が接続され、リード線２２は主幹ブレーカ７と分岐ブレーカ２とを接続する主幹バー２３のＬ２極に接続されている。
【００１７】
そして、送り用端子部１２又は入線用端子部１３の端子ねじ１２ａ，１３ａが締め付け不足や緩み、誤った締め付けにより異常発熱し、温度センサ１５の検出温度が所定値を越えたことを制御回路１６が検知すると、制御回路１６は遮断回路１８のリレー２１をオンし、主電路に擬似漏電電流が流れる。主幹ブレーカ７には漏電遮断器が使用され、この擬似漏電電流を主幹ブレーカ７が検出すると漏電遮断機構が作動し、電路を遮断して出火を防止することができる。また、同時に制御回路１６はブザー２４を鳴動させるので端子台４の異常発熱を知ることができ、主幹ブレーカ７の遮断原因も端子台４の異常発熱であることを特定することができる。なお、ブザー２４は幹線５の接続を外して電源の供給を遮断するか、端子ねじ１２ａ，１３ａの締め付け不足や緩み、誤った締め付けなどによる導電バー１１の異常温度上昇原因を解消して温度センサ１５の検出温度が所定値を下回ると停止する。
【図面の簡単な説明】
【００１８】
【図１】本発明に係る住宅用分電盤を示すブロック図である。
【図２】端子台に幹線及び電線を接続した状態を示す斜視図である。
【図３】導電バー及び端子ねじを取り外した状態の端子台の斜視図である。
【図４】端子台の回路図である。
【符号の説明】
【００１９】
１    住宅用分電盤
４    端子台
５    幹線
６    電線
７    主幹ブレーカ
９    時間帯別電灯契約用回路のブレーカ
１０    基台
１１    導電バー
１２    送り用端子部
１２ａ    端子ねじ
１３    入線用端子部
１３ａ    端子ねじ
１５    温度センサ
１６    制御回路
１７    電源回路
１８    遮断回路
２０    抵抗
２１    リレー
２２    リード線
２３    主幹バー
２４    ブザー
【図１】
2009268210.tif 000003
【図２】
2009268210.tif 000004
【図３】
2009268210.tif 000005
【図４】
2009268210.tif 000006